(57)【要約】  生体成分採取システムの一形態である血液成分採取システム（１０）の遠心分離装置（１４）は、返還動作の終了時に採取・返還ポンプ（１００）を停止させ、フィルタ構造部（６３）内の陽圧を解除する圧力解放ステップと、フィルタ構造部（６３）の入口流路（６３ａ）及び出口流路（６３ｂ）を閉塞するクランプ閉塞ステップと、次の採取動作を開始する採取動作開始ステップとを行う。【選択図】図１４
2020534883.tif 000002
【特許請求の範囲】
【請求項１】
分離処理部を有する少なくとも１の生体成分を含有する液体から生体成分を分離する分離装置と、
前記分離装置に装着可能に構成され、内部に流路が形成された生体成分採取用デバイスと、
を備えた生体成分採取システムであって、
前記生体成分採取用デバイスは、ドナーからの少なくとも１の生体成分を含有する液体を導入する採取ラインと、採取しない生体成分をドナーに戻す返還ラインと、前記返還ライン上に設けられたフィルタ構造部とを有し、前記採取ラインと前記返還ラインとは分岐部を介して連通しており、
前記分離装置は、前記分離処理部と前記生体成分採取用デバイスとの間のラインに配置される採取・返還ポンプと、前記フィルタ構造部の入口流路及び出口流路を開閉可能なクランプとを有し、前記採取・返還ポンプの駆動により、前記ドナーから前記採取ラインを介して前記分離処理部へと少なくとも１の生体成分を含有する液体を移送する採取動作と、前記分離処理部から前記返還ラインを介して前記ドナーへと不要な生体成分を移送する返還動作とを交互に行い、
前記分離装置は、
前記返還動作の終了時に前記採取・返還ポンプを停止させ、前記フィルタ構造部内の陽圧を解除する圧力解放ステップと、
前記圧力解放ステップの後、前記クランプにより、前記フィルタ構造部の前記入口流路及び前記出口流路を閉塞するクランプ閉塞ステップと、
前記クランプ閉塞ステップの後、前記採取・返還ポンプの駆動により、次の前記採取動作を開始する採取動作開始ステップと、を行う、
ことを特徴とする生体成分採取システム。
【請求項２】
請求項１記載の生体成分採取システムにおいて、
前記フィルタ構造部は、フィルタ部材と、前記フィルタ部材を収容するフィルタ収容部とを有し、
前記フィルタ収容部は、軟質素材で構成されている、
ことを特徴とする生体成分採取システム。
【請求項３】
請求項１又は２記載の生体成分採取システムにおいて、
生体成分採取用デバイスは、前記採取ライン及び前記返還ラインが形成されたプレート状のカセットの形態を有する、
ことを特徴とする生体成分採取システム。
【請求項４】
請求項３記載の生体成分採取システムにおいて、
前記カセットは、前記採取ラインの第１端部と前記返還ラインの第１端部とに接続した第１共通ラインと、前記採取ラインの第２端部と前記返還ラインの第２端部とに接続した第２共通ラインとを有する、
ことを特徴とする生体成分採取システム。
【請求項５】
請求項３又は４記載の生体成分採取システムにおいて、
前記カセットは、軟質素材で構成されたカセット本体を有する、
ことを特徴とする生体成分採取システム。
【請求項６】
分離処理部を有する少なくとも１の生体成分を含有する液体から生体成分を分離する分離装置と、
前記分離装置に装着可能に構成され、内部に流路が形成された生体成分採取用デバイスと、
を備えた生体成分採取システムの動作方法であって、
前記生体成分採取用デバイスは、ドナーからの少なくとも１の生体成分を含有する液体を導入する採取ラインと、採取しない生体成分をドナーに戻す返還ラインと、前記返還ライン上に設けられたフィルタ構造部とを有し、前記採取ラインと前記返還ラインとは分岐部を介して連通しており、
前記分離装置は、前記分離処理部と前記生体成分採取用デバイスとの間のラインに配置される採取・返還ポンプと、前記フィルタ構造部の入口流路及び出口流路を開閉可能なクランプとを有し、前記採取・返還ポンプの駆動により、前記ドナーから前記採取ラインを介して前記分離処理部へと少なくとも１の生体成分を含有する液体を移送する採取動作と、前記分離処理部から前記返還ラインを介して前記ドナーへと生体成分を移送する返還動作とを交互に行い、
前記生体成分採取システムの動作方法は、
前記返還動作の終了時に前記採取・返還ポンプを停止させ、前記フィルタ構造部内の陽圧を解除する圧力解放ステップと、
前記圧力解放ステップの後、前記クランプにより、前記フィルタ構造部の前記入口流路及び前記出口流路を閉塞するクランプ閉塞ステップと、
前記クランプ閉塞ステップの後、前記採取・返還ポンプの駆動により、次の前記採取動作を開始する採取動作開始ステップと、を含む、
ことを特徴とする生体成分採取システムの動作方法。
【請求項７】
請求項６記載の生体成分採取システムの動作方法において、
前記フィルタ構造部は、フィルタ部材と、前記フィルタ部材を収容するフィルタ収容部とを有し、
前記フィルタ収容部は、軟質素材で構成されている、
ことを特徴とする生体成分採取システムの動作方法。
【発明の詳細な説明】
【技術分野】
【０００１】
本発明は、生体成分採取システム及びその動作方法に関する。
【背景技術】
【０００２】
近年の献血においては、供血者から全血を採取する全血採血の他に、供血者の身体への負担が軽い成分採血（アフェレーシス）が行われている。成分採血は、血液成分採取システム（アフェレーシスシステム）を使用し、全血から特定の血液成分だけを採取し、残りの成分を供血者の体内に再び戻す採血方法である。
【０００３】
例えば、特表２０１３−５１４８６３号公報には、供血者から取り出した全血を遠心分離して血小板を採取する血液成分採取システムが開示されている。この血液成分採取システムは、処理される血液又は血液成分が流れる回路を形成する採血回路セットと、この採血回路セットが装着される遠心分離装置（血液成分分離装置）とを備える。
【０００４】
採血回路セットは、採血針を有する採取ライン、全血が導入される帯状のチャネル（分離器）、血液成分等を収容するための複数のバッグと、複数のチューブを介してこれらに接続されたカセットとを備える。カセットには、供血者からの血液を導入する採取ライン、採取しない血液成分を供血者へと戻す返還ライン等を含む複数の流路が形成されている。使用に際し、カセットは、血液成分分離装置に設けられた取付部に装着される。
【発明の概要】
【０００５】
血液成分採取システムにおいて、カセットに採取ライン及び返還ラインが並列に形成され、返還ライン上にフィルタ構造部が設けられ、カセットと血液処理部（遠心分離部）との間に採取・返還ポンプが配置され、供血者から採取した血液から血漿成分を分離して、残りの血球成分を供血者に戻す構成を採用し、採取・返還ポンプの駆動により採取動作と返還動作を交互に切り換えて動作させる場合、以下の課題がある。
【０００６】
返還動作の終了時にフィルタ構造部の入口側及び出口側のクランプを閉じる。クランプを閉じた時点で、フィルタ構造部内の圧力は陽圧となっている。次の採取動作に伴い、採取ラインは陰圧になるが、フィルタ構造部の入口側及び出口側はクランプで閉じられているため、フィルタ構造部内は陽圧に維持される。そして、当該採取動作から次の返還動作に移行する際、フィルタ構造部の入口側及び出口側のクランプを開放すると、圧力差により、フィルタ構造部から採取ラインに向かう速い流れが生じる。これにより、血球濃度の高い血液がフィルタ構造部から流出して採取ラインに流入する可能性がある。採取動作から次の返還動作に移行する際に血球濃度の高い血液が採取ラインに流入すると、遠心分離装置の処理効率が低下するとともに、血球濃度の高い血液が供血者へと戻される。血液成分採取システム以外の生体成分採取システムにおいても、同様の課題がある。
【０００７】
本発明はこのような課題を考慮してなされたものであり、採取動作から次の返還動作に移行する際に濃度の高い生体成分が採取ラインに流入することを防止することが可能な生体成分採取システム及びその動作方法を提供することを目的とする。
【０００８】
上記の目的を達成するため、本発明は、分離処理部を有する少なくとも１の生体成分を含有する液体から生体成分を分離する分離装置と、前記分離装置に装着可能に構成され、内部に流路が形成された生体成分採取用デバイスと、を備えた生体成分採取システムであって、前記生体成分採取用デバイスは、ドナーからの少なくとも１の生体成分を含有する液体を導入する採取ラインと、採取しない生体成分をドナーに戻す返還ラインと、前記返還ライン上に設けられたフィルタ構造部とを有し、前記採取ラインと前記返還ラインとは分岐部を介して連通しており、前記分離装置は、前記分離処理部と前記生体成分採取用デバイスとの間のラインに配置される採取・返還ポンプと、前記フィルタ構造部の入口流路及び出口流路を開閉可能なクランプとを有し、前記採取・返還ポンプの駆動により、前記ドナーから前記採取ラインを介して前記分離処理部へと少なくとも１の生体成分を含有する液体を移送する採取動作と、前記分離処理部から前記返還ラインを介して前記ドナーへと不要な生体成分を移送する返還動作と交互に行い、前記分離装置は、前記返還動作の終了時に前記採取・返還ポンプを停止させ、前記フィルタ構造部内の陽圧を解除する圧力解放ステップと、前記圧力解放ステップの後、前記クランプにより、前記フィルタ構造部の前記入口流路及び前記出口流路を閉塞するクランプ閉塞ステップと、前記クランプ閉塞ステップの後、前記採取・返還ポンプの駆動により、次の前記採取動作を開始する採取動作開始ステップと、を行う。
【０００９】
上記のように構成された本発明の生体成分採取システムによれば、返還動作の終了に伴う採取・返還ポンプの停止によりフィルタ構造部内の陽圧を解除してから、フィルタ構造部の入口流路及び出口流路を閉塞する。このため、採取ラインと返還ラインとの間の差圧が除去された状態で、次の採取動作が開始する。従って、次の返還動作のためにフィルタ構造部の入口側及び出口側のクランプを開放した際に、血球濃度の高い血液が採取ラインに流入することを防止することができる。これにより、分離装置の処理効率の低下を防止することができるとともに、血球濃度の高い血液が供血者へと戻されることを防止することができる。
【００１０】
前記フィルタ構造部は、フィルタ部材と、前記フィルタ部材を収容するフィルタ収容部とを有し、前記フィルタ収容部は、軟質素材で構成されている。
【００１１】
フィルタ収容部が軟質素材で構成されている場合、本発明と異なり返還動作の終了と同時にフィルタ構造部の入口流路及び出口流路をクランプで閉じると、フィルタ構造部内が陽圧に維持されるため、次の採取動作に移行するためにクランプを開けた際に、フィルタ構造部から採取ラインに向かう速い流れが生じやすい。従って、本発明は、フィルタ収容部が軟質素材で構成されている場合に、フィルタ構造部から採取ラインに向かう速い流れを効果的に防止することができる点で、特に有用である。
【００１２】
生体成分採取用デバイスは、前記採取ライン及び前記返還ラインが形成されたプレート状のカセットの形態を有してもよい。
【００１３】
この構成により、カセットを分離装置に装着するだけで、採取ラインと返還ラインが分離装置の所定位置に配置される。従って、生体成分採取システムのセットアップを簡易且つ効率的に行うことができ、ユーザビリティの向上が図られる。
【００１４】
前記カセットは、前記採取ラインの第１端部と前記返還ラインの第１端部とに接続した第１共通ラインと、前記採取ラインの第２端部と前記返還ラインの第２端部とに接続した第２共通ラインとを有してもよい。
【００１５】
これにより、カセットに設けるポートの数を少なくできるため、カセットの構成の簡素化が図られる。
【００１６】
前記カセットは、軟質素材で構成されたカセット本体を有してもよい。
【００１７】
この構成により、カセットは、全体が射出成形により製造される硬質樹脂からなる従来のカセットと比較して、低コストで製造することができる。
【００１８】
また、本発明は、分離処理部を有する少なくとも１の生体成分を含有する液体から生体成分を分離する分離装置と、前記分離装置に装着可能に構成され、内部に流路が形成された生体成分採取用デバイスと、を備えた生体成分採取システムの動作方法であって、前記生体成分採取用デバイスは、ドナーからの少なくとも１の生体成分を含有する液体を導入する採取ラインと、採取しない生体成分をドナーに戻す返還ラインと、前記返還ライン上に設けられたフィルタ構造部とを有し、前記採取ラインと前記返還ラインとは分岐部を介して連通しており、前記分離装置は、前記分離処理部と前記生体成分採取用デバイスとの間のラインに配置される採取・返還ポンプと、前記フィルタ構造部の入口流路及び出口流路を開閉可能なクランプとを有し、前記採取・返還ポンプの駆動により、前記ドナーから前記採取ラインを介して前記分離処理部へと少なくとも１の生体成分を含有する液体を移送する採取動作と、前記分離処理部から前記返還ラインを介して前記ドナーへと生体成分を移送する返還動作とを交互に行い、前記生体成分採取システムの動作方法は、前記返還動作の終了時に前記採取・返還ポンプを停止させ、前記フィルタ構造部内の陽圧を解除する圧力解放ステップと、前記圧力解放ステップの後、前記クランプにより、前記フィルタ構造部の前記入口流路及び前記出口流路を閉塞するクランプ閉塞ステップと、前記クランプ閉塞ステップの後、前記採取・返還ポンプの駆動により、次の前記採取動作を開始する採取動作開始ステップと、を含む。
【００１９】
前記フィルタ構造部は、フィルタ部材と、前記フィルタ部材を収容するフィルタ収容部とを有し、前記フィルタ収容部は、軟質素材で構成されていてもよい。
【００２０】
本発明の生体成分採取システム及びその動作方法によれば、採取動作から次の返還動作に移行する際に血球濃度の高い血液がフィルタ構造部から流出することを防止することが可能となる。
【図面の簡単な説明】
【００２１】
【図１】本発明の実施形態に係る血液成分採取システムの概略図である。
【図２】カセットの斜視図である。
【図３】カセットの断面図である。
【図４】カセット取付部の斜視図である。
【図５】カセットを載せた状態のカセット取付部の斜視図である。
【図６】クランプの動作を説明する第１説明図である。
【図７】クランプの動作を説明する第２説明図である。
【図８】クランプの動作を説明する第３説明図である。
【図９】クランプの動作を説明する第４説明図である。
【図１０】クランプの動作を説明する第５説明図である。
【図１１】図１１Ａは、回路内圧取得方法の第１説明図である。図１１Ｂは、回路内圧取得方法の第２説明図である。図１１Ｃは、回路内圧取得方法の第３説明図である。
【図１２】第２荷重検出部により検出される荷重と回路内圧との関係を示す荷重・圧力曲線を示す図である。
【図１３】回路内圧の算出に用いる検量線を示す図である。
【図１４】図１４Ａは、圧力解放ステップの説明図である。図１４Ｂは、クランプ閉塞ステップの説明図である。図１４Ｃは、採取動作開始ステップの説明図である。
【図１５】図１５Ａは、陽圧時の荷重検出を説明する図である。図１５Ｂは、陰圧時の荷重検出を説明する図である。
【図１６】反力の経時的減少を説明する図である。
【図１７】変形例に係るカセットの斜視図である。
【発明を実施するための形態】
【００２２】
以下、本発明に係る生体成分採取システム及びその動作方法について好適な実施形態を挙げ、添付の図面を参照しながら説明する。
【００２３】
図１において、生体成分採取システムの一形態である血液成分採取システム１０は、供血者から血液（全血）を連続的に取り出して体外で遠心分離することにより、特定の血液成分（本実施形態では、血漿（乏血小板血漿：ＰＰＰ））を採取し、残りの血液成分を供血者に戻す血液アフェレーシスシステムとして構成されている。本実施形態において、血液は、「少なくとも１の生体成分を含有する液体」である。
【００２４】
まず、図１に示す血液成分採取システム１０の概略を説明する。この血液成分採取システム１０は、血液成分を貯留及び流動するための採血回路セット１２と、採血回路セット１２に遠心力を付与する遠心分離装置１４（血液成分分離装置又は分離装置の一形態）とを備える。採血回路セット１２は、供血者から取り出された全血が導入され全血を複数の血液成分に遠心分離する血液処理部１６を有する。遠心分離装置１４は、血液処理部１６に遠心力を付与するためのロータ１８ａを有する遠心部１８を備える。血液処理部１６は、遠心部１８に装着可能である。
【００２５】
採血回路セット１２は、汚染防止や衛生のため、１回の使用毎に使い捨てされる。採血回路セット１２は、採血針２０及び初流血採取バッグ２１を有する採血・返血部２２と、血液処理部１６と、複数のバッグ２４と、生体成分採取用デバイス２７の一形態であるカセット２８とを備える。複数のバッグ２４は、抗凝固剤であるＡＣＤ液を収容したＡＣＤ液用バッグ２４ａと、血漿（乏血小板血漿）を貯留するためのＰＰＰ用バッグ２４ｂとを含む。
【００２６】
採血・返血部２２は、チューブコネクタ３０を介してＡＣＤ液用バッグ２４ａ及びカセット２８に接続されている。ＡＣＤ液用バッグ２４ａは、ＡＣＤ液移送チューブ２３を介してチューブコネクタ３０に接続されている。
【００２７】
カセット２８は、ドナー側チューブ３２を介して採血・返血部２２に接続されるとともに、処理部側チューブ３４を介して血液処理部１６に接続されている。血液処理部１６は、遠心分離装置１４の遠心部１８（ロータ１８ａ）に装着され、血液が導入、流動及び流出するように容器状に構成されている。血液処理部１６には、ＰＰＰ移送チューブ３６を介してＰＰＰ用バッグ２４ｂが接続されている。
【００２８】
図２において、カセット２８は、流路４２が形成されたカセット本体４０を備える。カセット本体４０は、平面視で長方形状に構成されている。カセット本体４０は、軟質素材で形成されている。カセット本体４０を構成する軟質素材は、カセット本体４０の全体に亘って同一の素材が用いられている。なお、カセット本体４０は、異なる複数の素材で構成されていてもよい。具体的に、カセット本体４０は、軟質素材で形成された第１シート４０ａ及び第２シート４０ｂを有する。第１シート４０ａと第２シート４０ｂとは厚さ方向に重ねられ且つ互いに接合されている。
【００２９】
第１シート４０ａ及び第２シート４０ｂを構成する軟質素材としては、例えば、塩化ビニル、ポリオレフィン、ポリウレタン等が挙げられる。塩化ビニルの可塑剤としては、例えば、ジイソノニルシクロヘキサン−１，２−ジカルボキシレート、フタル酸ビス−２−エチルヘキシル等が挙げられる。
【００３０】
第１シート４０ａと第２シート４０ｂとの間に流路４２が形成されている。本実施形態において、第１シート４０ａと第２シート４０ｂとの接合手段は、融着（高周波融着、熱融着等）である。第１シート４０ａと第２シート４０ｂとは、他の接合手段（接着等）により接合されていてもよい。また、カセット本体４０の外周縁部４０ｃには、硬質素材（例えば、ポリプロピレン、ポリカーボネート等）で構成された第１ポート部材４４及び第２ポート部材４６が設けられている。
【００３１】
第１ポート部材４４は、長方形状のカセット本体４０の長軸方向一端部である第１端部４５ａに設けられ、流路４２の一端側に設けられた第１のポート４３ａに接続されている。第２ポート部材４６は、カセット本体４０の長軸方向他端部である第２端部４５ｂに設けられ、流路４２の他端側に設けられた第２のポート４３ｂに接続されている。これらのポート部材４４、４６にドナー側チューブ３２及び処理部側チューブ３４がそれぞれ接続されている。
【００３２】
カセット本体４０に形成された流路４２は、遠心分離装置１４の作動時に血液が流れる採取ライン４２ａと、フィルタ部材７０が配置された返還ライン４２ｂと、返還ライン４２ｂ上に設けられたフィルタ構造部６３と、遠心分離装置１４の作動時に血液及び血液成分が流れない空洞部４２ｃとを有する。採取ライン４２ａの第１端部４２ａ１と、返還ライン４２ｂの第１端部４２ｂ１とは、第１結合部４８を介して、第１共通ライン４９に接続している。採取ライン４２ａの第２端部４２ａ２と、返還ライン４２ｂの第２端部４２ｂ２とは、第２結合部５０を介して、第２共通ライン５３に接続している。従って、流路４２において、採取ライン４２ａと返還ライン４２ｂとは並列接続されている。第１共通ライン４９は、第１のポート４３ａに連通している。第２共通ライン５３は、第２のポート４３ｂに連通している。
【００３３】
空洞部４２ｃの第１端部４２ｃ１は、採取ライン４２ａの中間部と第３結合部５１を介して接続している。空洞部４２ｃの第２端部４２ｃ２は、閉じている。採取ライン４２ａと返還ライン４２ｂとは、少なくとも部分的に並列して延在している。空洞部４２ｃは、直線状に形成されており、採取ライン４２ａのうち返還ライン４２ｂと平行に延在する部分に対して直列に接続している。採取ライン４２ａの少なくとも一部は、並列に延在する空洞部４２ｃと返還ライン４２ｂとの間に延在している。第１結合部４８、第２結合部５０及び第３結合部５１は、それぞれ流路４２の一部を構成している。
【００３４】
カセット本体４０では、流路４２の両側に、融着箇所であるシール部５５が流路４２に沿って形成されている。また、カセット本体４０の外周縁部４０ｃには、シール部５７が当該外周縁部４０ｃに沿って形成されている。
【００３５】
カセット本体４０のうち流路４２を形成する壁部は、流路４２内に陽圧が作用していないときでも、カセット本体４０の両面側において、カセット２８の厚さ方向に凸状に膨らんでいる。従って、流路４２は、自然状態で開いている流路である。外力によって押圧された際には、押圧された箇所の流路４２を閉じる方向に弾性変形可能である。
【００３６】
カセット本体４０は、採取ライン４２ａを形成する採取ライン形成部材５４と、返還ライン４２ｂを形成する返還ライン形成部材６４と、空洞部４２ｃを形成する空洞形成部材５６とを備える。
【００３７】
採取ライン形成部材５４は、軟質素材で構成された第１被押圧軟質部６０を有する。第１被押圧軟質部６０は、流路４２の一部である第１流路領域６０ａを形成する。第１被押圧軟質部６０は、カセット２８が遠心分離装置１４に装着された状態（以下、「カセット装着状態」という）で、遠心分離装置１４の作動時に流路４２の内圧を測定するために、遠心分離装置１４に搭載された後述する第１荷重検出部８８によって押圧される部位である。
【００３８】
返還ライン形成部材６４は、軟質素材で構成された第２被押圧軟質部６１を有する。第２被押圧軟質部６１は、流路４２の他の一部である第２流路領域６４ａを形成する。第２被押圧軟質部６１は、カセット装着状態で、第１荷重検出部８８により検出した荷重を用いて回路内圧を算出する際に利用する参照用データである検量線Ｌ（図１３）を補正するためのデータを取得するために、遠心分離装置１４に搭載された後述する第２荷重検出部８９によって押圧される部位である。
【００３９】
フィルタ構造部６３は、フィルタ部材７０と、フィルタ部材７０を収容するフィルタ収容部７１とを有する。フィルタ収容部７１は、カセット本体４０の一部を構成している。従って、フィルタ収容部７１は軟質素材により構成されている。フィルタ収容部７１と、返還ライン４２ｂの第２端部４２ｂ２との間に、フィルタ構造部６３に血液成分を導入する入口流路６３ａが形成されている。フィルタ収容部７１と、返還ライン４２ｂの第１端部４２ｂ１との間に、フィルタ構造部６３から血液成分を流出させる出口流路６３ｂが形成されている。
【００４０】
本実施形態において、第２被押圧軟質部６１は、フィルタ収容部７１を構成している。図３に示すように、フィルタ収容部７１内に、血液又は血液成分に含まれる血液凝集塊を除去するためのシートメッシュ状のフィルタ部材７０が配置されている。フィルタ収容部７１の両側に位置する返還ライン４２ｂに、第１チューブ部材６６及び第２チューブ部材６８が配置されている。フィルタ部材７０により、フィルタ収容部７１の内部空間が、第１チューブ部材６６と連通する第１空間６４ｂ１と、第２チューブ部材６８と連通する第２空間６４ｂ２とに仕切られている。
【００４１】
第１チューブ部材６６は、第１シート４０ａ及び第２シート４０ｂに融着等により接合されている。第１チューブ部材６６と第１シート４０ａとの間にフィルタ部材７０の第１端部７０ａが配置されるとともに、第１シート４０ａ、フィルタ部材７０の第１端部７０ａ及び第１チューブ部材６６が互いに融着等により接合されている。第２チューブ部材６８は、第１シート４０ａ及び第２シート４０ｂに融着等により接合されている。第２チューブ部材６８と第２シート４０ｂとの間にフィルタ部材７０の第２端部７０ｂが配置されるとともに、第２シート４０ｂ、フィルタ部材７０の第２端部７０ｂ及び第２チューブ部材６８が互いに融着等により接合されている。
【００４２】
図２において、第２被押圧軟質部６１は、第１被押圧軟質部６０よりも変形しやすい。本実施形態では、第２被押圧軟質部６１の幅Ｗ２が第１被押圧軟質部６０の幅Ｗ１よりも大きいことにより、第２被押圧軟質部６１が第１被押圧軟質部６０よりも変形しやすい。第１被押圧軟質部６０の幅Ｗ１に対する第２被押圧軟質部６１の幅Ｗ２の割合は、例えば３００％以上に設定され、好ましくは５００％以上に設定され、より好ましくは、８００％以上に設定される。
【００４３】
なお、第２被押圧軟質部６１を構成する壁部の厚さが第１被押圧軟質部６０を構成する壁部の厚さよりも薄く設定されることにより、第２被押圧軟質部６１が第１被押圧軟質部６０よりも変形しやすくなっていてもよい。あるいは、第２被押圧軟質部６１が第１被押圧軟質部６０よりも柔軟な材料で構成されることにより、第２被押圧軟質部６１が第１被押圧軟質部６０よりも変形しやすくなっていてもよい。
【００４４】
空洞形成部材５６は、軟質素材で構成された第３被押圧軟質部６２を有する。第３被押圧軟質部６２は、カセット装着状態で遠心分離装置１４に搭載された後述する第３荷重検出部９０によって押圧される部位である。空洞部４２ｃは、第３結合部５１を介して採取ライン４２ａと連通している。
【００４５】
第１被押圧軟質部６０、第２被押圧軟質部６１及び第３被押圧軟質部６２は、それぞれ流路４２の一部を構成している。従って、第１被押圧軟質部６０、第２被押圧軟質部６１及び第３被押圧軟質部６２は、カセット本体４０のシート面４１（ベース面）からカセット本体４０の厚さ方向に膨出している。第１被押圧軟質部６０及び第３被押圧軟質部６２は、互いに同一形状及び同一サイズに形成されている。従って、第１被押圧軟質部６０及び第３被押圧軟質部６２の剛性は互いに同一となっている。
【００４６】
カセット２８には、遠心分離装置１４に備えられた流路開閉機構である複数のクランプ７２（７２ａ〜７２ｄ）（図４参照）が作用する複数のクランプ作用部７６（７６ａ〜７６ｄ）が設けられている。カセット２８を遠心分離装置１４に装着すると、クランプ作用部７６は、対応するクランプ７２に当接又は対向する。具体的に、クランプ作用部７６ａは、カセット２８における採取ライン４２ａの第１ポート部材４４側の端部を形成する箇所に設けられている。クランプ作用部７６ｂは、第３被押圧軟質部６２と第３結合部５１との間（空洞部４２ｃの第３結合部５１の近傍箇所）に設けられている。クランプ作用部７６ｃ、７６ｄは、返還ライン４２ｂの両端部を形成する箇所にそれぞれ設けられている。
【００４７】
なお、カセット２８に形成される流路構成や、設けられるバッグ２４の個数及び配置は、上述及び図示した構成に限られず、採取する血液成分の種類や使用方法等に応じて改変がなされてもよい。
【００４８】
上述した構成を備えたカセット２８の製造方法は、第１シート４０ａ及び第２シート４０ｂを重ね合わせ、第１シート４０ａと第２シート４０ｂとの間に流路４２を形成するように第１シート４０ａと第２シート４０ｂとを溶着してカセット本体４０を備えたカセット２８を成形する成形工程と、成形工程により得られたカセット２８に滅菌を施す滅菌工程とを含む。
【００４９】
成形工程では、例えば、第１シート４０ａ及び第２シート４０ｂの素材であるシート状素材がそれぞれ巻かれてなる２つの素材ロールからシート状素材を繰り出し、組付部品（フィルタ部材７０、ポート部材４４、４６）とともに高周波融着装置等の接合装置へと供給する。接合装置は、上下の金型を備えており、２枚のシート状素材を組付部品とともに接合しつつブロー成形することにより、流路４２が形成されたカセット２８を成形する。この場合、接合装置でのカセット２８の成形時に、チューブ３２、３４が接続されてもよい。
【００５０】
滅菌工程では、複数のバッグ２４（ＡＣＤ液用バッグ２４ａ等）を含む採血回路セット１２の全体を滅菌してもよい。これにより、採血回路セット１２に効率的に滅菌処理を施すことができる。
【００５１】
図１において、遠心分離装置１４は、血液成分採取において繰り返し使用される機器であり、例えば、医療施設や採血用車両等に備えられる。遠心分離装置１４は、ロータ１８ａを有する遠心部１８（分離処理部）と、採血回路セット１２のカセット２８が取り付け可能に構成されたカセット取付部７８とを備える。
【００５２】
図４に示すように、カセット取付部７８は、カセット装着溝８２が形成された取付ベース８４と、閉じたときに取付ベース８４を覆うように構成された開閉可能な蓋体８６と、カセット２８のクランプ作用部７６を押圧可能に構成された複数のクランプ７２とを備える。カセット取付部７８は、さらに、カセット２８の第１被押圧軟質部６０（図２参照）を押圧可能な第１荷重検出部８８と、カセット２８の第２被押圧軟質部６１（図２参照）を押圧可能な第２荷重検出部８９と、カセット２８の第３被押圧軟質部６２（図２参照）を押圧可能な第３荷重検出部９０とを備える。
【００５３】
取付ベース８４の外周部には、カセット２８の第１ポート部材４４を配置可能な第１ポート配置溝８４ｂと、カセット２８の第２ポート部材４６を配置可能な第２ポート配置溝８４ｃとが設けられている。第１ポート配置溝８４ｂ及び第２ポート配置溝８４ｃは、カセット装着溝８２に連通している。
【００５４】
蓋体８６は、取付ベース８４にヒンジ部８５を介して回動可能に連結されている。カセット２８が取付ベース８４のカセット装着溝８２に保持された状態で蓋体８６を閉じると、カセット２８は、取付ベース８４と蓋体８６との間に挟まれる。取付ベース８４及び蓋体８６には、それぞれカセット２８のフィルタ収容部７１を受容可能な凹部８４ａ、８６ａが設けられている。これにより、取付ベース８４と蓋体８６との間でカセット２８を適切に保持しつつ、フィルタ収容部７１が潰れることが防止される。また、凹部８４ａ、８６ａにより、フィルタ収容部７１が過剰に膨らむことが防止される。
【００５５】
第１荷重検出部８８は、取付ベース８４に設けられた第１貫通孔９２ａに挿入されるとともに、カセット装着溝８２に露出している。第２荷重検出部８９は、取付ベース８４に設けられた第２貫通孔９２ｂに挿入されるとともに、カセット装着溝８２に設けられた凹部８４ａに露出している。第３荷重検出部９０は、取付ベース８４に設けられた第３貫通孔９２ｃに挿入されるとともに、カセット装着溝８２に露出している。第１荷重検出部８８の上面及び第３荷重検出部９０の上面は、それぞれ、カセット装着溝８２の底面８２ａから突出している。第２荷重検出部８９の上面は、凹部８４ａの底面から突出している。
【００５６】
底面８２ａからの第１荷重検出部８８の突出高さと、底面８２ａからの第３荷重検出部９０の突出高さは、同一である。第１荷重検出部８８、第２荷重検出部８９及び第３荷重検出部９０は、例えば、ロードセルにより構成される。
【００５７】
複数のクランプ７２（７２ａ〜７２ｄ）は、カセット装着溝８２に保持された状態のカセット２８の厚さ方向に進退動作可能であり、カセット２８に設けられた複数のクランプ作用部７６（７６ａ〜７６ｄ）の配置に対応するように配置されている。複数のクランプ７２は、カセット装着溝８２の底面８２ａに開口する複数の孔部９４を介して、複数のクランプ作用部７６をそれぞれ押圧可能である。蓋体８６において、閉じたときに複数の孔部９４（クランプ７２）に対応する位置には、複数の突起９６が設けられている。
【００５８】
カセット取付部７８にカセット２８が装着された状態でクランプ作用部７６がクランプ７２によって押圧されていないときは、クランプ作用部７６内の流路は開通している。クランプ７２が孔部９４から突出してクランプ作用部７６を押圧すると、クランプ作用部７６内の流路が閉塞される。そして、クランプ７２が後退すると、カセット本体４０（クランプ作用部７６）の弾性復元力により、クランプ作用部７６は元の形状に戻り、クランプ作用部７６内の流路が開通する。
【００５９】
図１に示すように、遠心分離装置１４は、ＡＣＤ液移送チューブ２３に作用するＡＣＤ液移送ポンプ９８と、カセット２８に接続された処理部側チューブ３４に作用する採取・返還ポンプ１００とを有する。ＡＣＤ液移送ポンプ９８は、ＡＣＤ液用バッグ２４ａからＡＣＤ液移送チューブ２３を介してカセット２８及び血液処理部１６へとＡＣＤ液を移送するポンプである。採取・返還ポンプ１００は、供血者側から血液処理部１６へと血液を移送するとともに、血液処理部１６から供血者側へと血液を移送するポンプである。ＡＣＤ液移送ポンプ９８及び採取・返還ポンプ１００は、例えば、ローラポンプ、フィンガーポンプにより構成される。
【００６０】
遠心分離装置１４は、さらに、遠心部１８、カセット取付部７８及びポンプ９８、１００を制御する制御部１０２を有する。上述した複数のクランプ７２の動作は、制御部１０２によって制御される。制御部１０２は、遠心分離装置１４の稼働時に、第１荷重検出部８８及び第３荷重検出部９０（図４）により検出される荷重に基づいて採血回路セット１２の回路内圧を取得（算出）する演算部１０３を有する。
【００６１】
遠心分離装置１４は、第２荷重検出部８９により取得したデータを用いて、回路内圧を算出する際に利用する検量線Ｌ（図１３参照）の傾きを補正し、第１荷重検出部８８により取得したデータ及び補正された検量線Ｌａを用いてカセット２８の回路内圧を算出する。検量線Ｌの傾き補正の詳細については後述する。
【００６２】
次に、上記のように構成された本実施形態に係る血液成分採取システム１０の作用を説明する。
【００６３】
図１に示す血液成分採取システム１０を用いて供血者から血液成分採取を行うための準備（セットアップ）として、採血回路セット１２が遠心分離装置１４に装着される。具体的には、カセット２８がカセット取付部７８に取り付けられるとともに、血液処理部１６がロータ１８ａに装着される。一方、採血針２０は、供血者に穿刺される。
【００６４】
カセット２８がカセット取付部７８に取り付けられる際、図５に示すように、カセット２８は、まず、カセット装着溝８２に装着される。そして、蓋体８６が閉じられることで、取付ベース８４と蓋体８６との間にカセット２８が保持された状態となる。この結果、カセット２８の第１被押圧軟質部６０、第２被押圧軟質部６１及び第３被押圧軟質部６２が、それぞれ、第１荷重検出部８８、第２荷重検出部８９及び第３荷重検出部９０に押圧されて若干だけ弾性変形した状態となる。この場合、第１荷重検出部８８に押圧されることによる第１被押圧軟質部６０の変形量は、第３荷重検出部９０に押圧されることによる第３被押圧軟質部６２の変形量と同じである。また、カセット２８の複数のクランプ作用部７６が、複数のクランプ７２に対向配置された状態となる。
【００６５】
図１に示した遠心分離装置１４に対して、ユーザの操作により動作開始が指示されると、遠心分離装置１４では、後述する較正処理（検量線の傾き補正）を実行した後、ＡＣＤ液移送ポンプ９８の作用下に、ＡＣＤ液によるプライミングが実行される。具体的に、カセット２８外に配置された図示しないラインセンサで流路４２の直近までＡＣＤ液が来るのを検知した段階で、ＡＣＤ液によるプライミングを終了する。
【００６６】
次に、遠心分離装置１４は、ロータ１８ａを回転させることによりロータ１８ａに装着された血液処理部１６に遠心力を付与するとともに、採取・返還ポンプ１００を作動させることにより供血者から血液（全血）を取り出して血液処理部１６内に血液を導入する（採取動作）。血液処理部１６内に導入された血液は、ロータ１８ａの回転に伴う遠心力によって、赤血球（濃厚赤血球）、バフィーコート及び血漿（乏血小板血漿）に分離される。
【００６７】
血液処理部１６内で分離された血漿は、ＰＰＰ移送チューブ３６を介してＰＰＰ用バッグ２４ｂへと導入される。残りの血液成分（赤血球及びバフィーコート）は、遠心分離処理後に供血者へと戻される（返還動作）。このとき、残りの血液成分に含まれる血液凝集塊等の異物は、カセット２８の返還ライン４２ｂに設けられたフィルタ部材７０によりトラップされるため、異物が供血者に戻ることで生じるリスクを低減することができる。上述した採取動作と返還動作は、交互に複数回繰り返される。
【００６８】
血液成分採取システム１０の稼働時において、遠心分離装置１４のクランプ７２（図４）は以下のように動作する。
【００６９】
図６に示すように、ＡＣＤ液によるプライミングを行う際には、クランプ７２ｂが閉じられ、クランプ７２ａ、７２ｃ、７２ｄが開けられる。これにより、空洞部４２ｃは、他の流路４２から遮断された状態となる。そして、この状態で、第１のポート４３ａ直近のカセット２８外の図示しないラインセンサで第１のポート４３ａの直近までＡＣＤ液が来るのを検知した段階で、ＡＣＤ液によるプライミングを終了する。
【００７０】
次に、初回の採血を行う際には、図７に示すように、クランプ７２ｂが閉じられクランプ７２ａ、７２ｃ、７２ｄが開けられた状態が維持される。そして、この状態で、供血者からの血液がカセット２８の空洞部４２ｃ以外の流路４２に導入され、血液によってカセット２８の回路内の空気がすべて血液処理部１６へと押し出される。
【００７１】
初回の採血の途中で、図８に示すように、クランプ７２ｃ、７２ｄが閉じられることで、返還ライン４２ｂが閉鎖される。これにより、フィルタ収容部７１に陰圧が作用してフィルタ収容部７１が閉塞することが防止される。以下、図８に示す複数のクランプ７２の開閉状態を「採取モードのクランプ状態」という。
【００７２】
次に、供血者への血液成分の返血を行う際には、図９に示すように、クランプ７２ａが閉じられ、クランプ７２ｃ、７２ｄが開けられることで、採取ライン４２ａが閉鎖される一方、返還ライン４２ｂが開放される。従って、血液成分がフィルタ部材７０を通過する際に、血液成分に含まれる血液凝集塊がフィルタ部材７０にトラップされる。採取ライン４２ａは閉鎖されているため、異物が採取ライン４２ａを介して供血者に戻されることはない。以下、図９に示す複数のクランプ７２の開閉状態を「返還モードのクランプ状態」という。
【００７３】
次に、２回目以降の採血を行う際には、図１０のように、クランプ７２ｃ、７２ｄが閉じられ、クランプ７２ａが開けられることで、返還ライン４２ｂが閉鎖される一方、採取ライン４２ａが開放される。従って、血液は、採取ライン４２ａ及び返還ライン４２ｂのうち採取ライン４２ａのみを介して血液処理部１６側（遠心部１８側）へと移送される。その後、返血（図９）が再び行われる。このような採血と返血が複数回繰り返される。
【００７４】
そして、最終の返血を行う際には、クランプ７２ａが閉じられ、クランプ７２ｃ、７２ｄが開けられて、複数のクランプ７２が、再び図９に示す返還モードのクランプ状態に設定される。
【００７５】
次に、血液成分採取システム１０を用いた回路内圧取得方法について説明する。
【００７６】
回路内圧取得方法は、カセット２８の流路４２内にドナーからの血液を導入する前に、回路内圧を算出する際に利用する検量線Ｌ（図１３）を補正する較正ステップと、遠心分離装置１４の通常動作時（血液処理時）にカセット２８の回路内圧を測定する圧力測定ステップとを含む。
【００７７】
具体的に、較正ステップは、昇圧ステップと、データ取得ステップと、傾き補正ステップとを含む。昇圧ステップでは、カセット２８の流路４２内にドナーからの血液を導入する前に、血液ではない流体を流路４２内に導入することにより回路内圧を上昇させる。この場合、まず、図１１Ａに示すように、ＡＣＤ液移送チューブ２３をＡＣＤ液用バッグ２４ａ（図１参照）に対して非接続の状態で、クランプ７２ｂを閉じて、空洞部４２ｃを採取ライン４２ａ及び返還ライン４２ｂに対して非連通にする。これにより、空洞部４２ｃが採取ライン４２ａ及び返還ライン４２ｂに対して空間的に分離された状態となる。このとき、クランプ７２ａ、７２ｃ、７２ｄは開けておく。
【００７８】
次に、図１１Ｂに示すように、チューブコネクタ３０よりも採血針２０側（供血者側）にあるチューブ３２をクランプ７３により閉塞するとともに、ＡＣＤ液移送ポンプ９８を駆動して、流体Ｆとして例えば空気をカセット２８の回路内（採取ライン４２ａ及び返還ライン４２ｂ）へと送り込む。このとき、採取・返還ポンプ１００を停止しておくことで、ＡＣＤ液移送ポンプ９８の駆動による空気の導入に伴い採取ライン４２ａ及び返還ライン４２ｂが昇圧される。これにより、第１荷重検出部８８は、第１被押圧軟質部６０から受ける荷重を検出するともに、第２荷重検出部８９は、第２被押圧軟質部６１から受ける荷重を検出する。
【００７９】
次に、データ取得ステップでは、第２流路領域６４ａに昇圧された流体（この場合、空気）が導入された状態で第２被押圧軟質部６１から受ける荷重を第２荷重検出部８９により検出することにより、回路内圧を算出する際に利用する検量線Ｌ（図１３参照）を補正するためのデータを取得する。
【００８０】
ここで、図１２に示すように、第２荷重検出部８９により検出される荷重と、回路内圧との関係は、荷重・圧力曲線Ｃにより示される。この荷重・圧力曲線Ｃは、カセット本体４０の材質や製造方法によらず、略同じである。荷重・圧力曲線Ｃは、実験又は解析によって予め取得することができる。遠心分離装置１４は、この荷重・圧力曲線Ｃを制御部１０２に保持（記憶）している。なお、遠心分離装置１４は、荷重・圧力曲線Ｃを記憶した外部データベースにアクセスして、荷重・圧力曲線Ｃを参照してもよい。
【００８１】
そこで、遠心分離装置１４は、荷重・圧力曲線Ｃを参照し、第２荷重検出部８９により検出される荷重に基づいて、空気による昇圧時のある時点での回路内圧（データ）を取得する。そして、傾き補正ステップでは、第２荷重検出部８９により取得したデータを用いて、図１３に示すように、検量線Ｌの傾きを補正する。具体的には、荷重と圧力との関係（検量線）について、あらかじめ空気と血液の相関を取っておき、この相関に基づき、第２荷重検出部８９により取得した空気のデータを用いて血液の検量線Ｌの傾きを補正する。これにより、傾きが補正された検量線Ｌａが得られる。
【００８２】
次に、図１１Ｃに示すように、ＡＣＤ液移送チューブ２３をＡＣＤ液用バッグ２４ａに接続するとともに、ＡＣＤ液移送ポンプ９８を駆動して、ＡＣＤ液をカセット２８の流路４２の直前まで満たす操作（上述したプライミング）を行う。
【００８３】
次に、血液成分採取システム１０は、圧力測定ステップを行う。圧力測定ステップは、血液導入ステップと、第１の測定ステップと、第２の測定ステップと、差分荷重算出ステップと、内圧算出ステップとを含む。
【００８４】
血液導入ステップでは、カセット２８の流路４２内に血液を導入する（図７〜図１０）。第１の測定ステップでは、採取ライン４２ａに血液が送液されている状態の採取ライン形成部材５４を押圧し、採取ライン形成部材５４の押圧に伴う荷重Ｅ１を測定する。具体的には、第１被押圧軟質部６０から受ける荷重を第１荷重検出部８８により検出する。第２の測定ステップでは、空洞部４２ｃに血液が送液されていない状態の空洞形成部材５６を押圧し、空洞形成部材５６の押圧に伴う荷重Ｅ２を測定する。具体的には、第３被押圧軟質部６２から受ける荷重を第３荷重検出部９０により検出する。
【００８５】
差分荷重算出ステップでは、第１の測定ステップにて測定された荷重Ｅ１から第２の測定ステップにて測定された荷重Ｅ２を引いた差分荷重Ｅを算出する。内圧算出ステップでは、算出された差分荷重Ｅに基づいて採取ライン４２ａの内圧（回路内圧）を算出する。この場合、遠心分離装置１４は、補正された検量線Ｌａ（図１３）を利用して回路内圧を算出する。
【００８６】
なお、実際には、第１被押圧軟質部６０の弾性復元力に基づく反力と、第３被押圧軟質部６２の弾性復元力に基づく反力は、完全に一致するわけではない。そのため、差分荷重Ｅを計算する前に、同一条件下（採取ライン４２ａと空洞部４２ｃのいずれにも血液が送液されていない状態）でＥ１とＥ２とを一致させるステップを行う。具体的には、一致させるための補正係数Ａを算出して、Ｅ１＝補正係数Ａ×Ｅ２を成立させる予備補正ステップを行う。その後、差分荷重Ｅを算出する。
【００８７】
次に、本実施形態に係る血液成分採取システム１０の動作方法について説明する。
【００８８】
血液成分採取システム１０の動作方法は、返還動作の終了時に採取・返還ポンプ１００を停止させ、フィルタ構造部６３内の陽圧を解除する圧力解放ステップ（図１４Ａ）と、圧力解放ステップの後、クランプ７２ｃ、７２ｄにより、フィルタ構造部６３の入口流路６３ａ及び出口流路６３ｂを閉塞するクランプ閉塞ステップ（図１４Ｂ）と、クランプ閉塞ステップの後、採取・返還ポンプ１００の駆動により、次の採取動作を開始する採取動作開始ステップ（図１４Ｃ）とを含む。制御部１０２（図１）は、圧力解放ステップ、クランプ閉塞ステップ及び採取動作開始ステップを実行するように、複数のクランプ７２及びポンプ９８、１００を制御する。
【００８９】
圧力解放ステップでは、まず、図９に示した返還動作を終了するために、図１４Ａに示すように、クランプ７２ｃ、７２ｄを開放したまま、採取・返還ポンプ１００を停止させる。採取・返還ポンプ１００の駆動による返還動作の実行中（図９）は、採取ライン４２ａ及び返還ライン４２ｂは陽圧となっている。従って、返還ライン４２ｂの一部であるフィルタ構造部６３の内部は陽圧となっている。このため、図１４Ａのように採取・返還ポンプ１００を停止した場合、フィルタ構造部６３の内部は、採取・返還ポンプ１００の停止と同時点では、陽圧となっている。
【００９０】
一方、カセット２８の流路４２は、ドナー側チューブ３２及び採血針２０を介して供血者の血管と繋がっている（回路が開放している）ため、採取・返還ポンプ１００を停止すると、比較的短時間（１〜３秒程度）で流路４２の陽圧は解除される。すなわち、採取・返還ポンプ１００の停止後、カセット２８の回路内圧は、０ｍｍＨｇ程度（０ｍｍＨｇあるいはそれに近い圧力）まで戻る。従って、返還ライン４２ｂの一部を構成するフィルタ構造部６３の陽圧が解除される。
【００９１】
次に、クランプ閉塞ステップでは、図１４Ｂに示すように、採取・返還ポンプ１００の停止状態で、クランプ７２ｃ、７２ｄを閉じて、フィルタ構造部６３の入口流路６３ａ及び出口流路６３ｂを閉塞するとともに、クランプ７２ａを開けて、採取ライン４２ａを開通させる。これにより、複数のクランプ７２は、採取モードのクランプ状態に設定される。このときのフィルタ構造部６３の内圧は、略０ｍｍＨｇである。
【００９２】
図１４Ｃに示すように、採取動作開始ステップでは、採取・返還ポンプ１００を駆動して、供血者からの血液を流路４２に導入し、採取ライン４２ａを介して遠心部１８（図１参照）へと血液を送液する。なお、本実施形態では、毎回の採取動作時に、ＡＣＤ液移送ポンプ９８を駆動して、血液とともにＡＣＤ液を流路４２に導入する。
【００９３】
この場合、本実施形態に係る血液成分採取システム１０及びその動作方法は、以下の効果を奏する。
【００９４】
血液成分採取システム１０及びその動作方法によれば、返還動作の終了に伴う採取・返還ポンプ１００の停止によりフィルタ構造部６３内の陽圧を解除してから（図１４Ａ）、フィルタ構造部６３の入口流路６３ａ及び出口流路６３ｂを閉塞する（図１４Ｂ）。このため、採取ライン４２ａと返還ライン４２ｂとの間の差圧が除去された状態で、次の採取動作が開始する（図１４Ｃ）。従って、次の返還動作のためにフィルタ構造部６３の入口流路６３ａ及び出口流路６３ｂのクランプ７２ｃ、７２ｄを開放した際に、血球濃度の高い血液が採取ライン４２ａに流入することを防止することができる。これにより、遠心分離装置１４の処理効率の低下を防止することができるとともに、血球濃度の高い血液が供血者へと戻されることを防止することができる。
【００９５】
フィルタ収容部７１は、軟質素材で構成されている。フィルタ収容部７１が軟質素材で構成されている場合、本発明と異なり返還動作の終了と同時にフィルタ構造部６３の入口流路６３ａ及び出口流路６３ｂをクランプ７２ｃ、７２ｄで閉じると、フィルタ構造部６３内が陽圧に維持されるため、次の採取動作に移行するためにクランプ７２ｃ、７２ｄを開けた際に、フィルタ構造部６３から採取ライン４２ａに向かう速い流れが生じやすい。従って、本発明は、フィルタ収容部７１が軟質素材で構成されている場合に、フィルタ構造部６３から採取ライン４２ａに向かう速い流れを効果的に防止することができる点で、特に有用である。
【００９６】
図２に示したように、生体成分採取デバイス２７は、採取ライン４２ａ及び返還ライン４２ｂが形成されたプレート状のカセット２８の形態を有する。この構成により、カセット２８を遠心分離装置１４に装着するだけで、採取ライン４２ａと返還ライン４２ｂが遠心分離装置１４の所定位置に配置される。従って、血液成分採取システム１０のセットアップを簡易且つ効率的に行うことができ、ユーザビリティの向上が図られる。
【００９７】
カセット２８は、採取ライン４２ａの第１端部４２ａ１と返還ライン４２ｂの第１端部４２ｂ１とに接続した第１共通ライン４９と、採取ライン４２ａの第２端部４２ａ２と返還ライン４２ｂの第２端部４２ｂ２とに接続した第２共通ライン５３とを有する。これにより、カセット２８に設けるポートの数を少なくできるため、カセット２８の構成の簡素化が図られる。
【００９８】
カセット２８は、軟質素材で構成されたカセット本体４０を有する。この構成により、カセット２８は、全体が射出成形により製造される硬質樹脂からなる従来のカセットと比較して、低コストで製造することができる。
【００９９】
カセット２８は、遠心分離装置１４に装着された装着状態で第１荷重検出部８８によって押圧される第１被押圧軟質部６０を備え、少なくとも第１被押圧軟質部６０が軟質素材で構成されている。このため、遠心分離装置１４の第１荷重検出部８８により検出された荷重に基づいて、回路内圧を測定することができる。
【０１００】
ところで、第１被押圧軟質部６０は、流路幅が比較的狭い箇所の流路を形成する部分であるため、第１被押圧軟質部６０が同じ幅に設計されている製品であっても、製品間で材質や製造方法によって微妙に第１被押圧軟質部６０の柔軟性が異なる（柔軟性に個体差がある）ことが起こり得る。この点、本実施形態に係るカセット２８は、回路内圧の算出に用いる検量線Ｌの補正データ取得用の第２被押圧軟質部６１を備え、当該第２被押圧軟質部６１は、回路内圧測定用の第１被押圧軟質部６０よりも変形しやすい。このため、回路内圧の測定精度を向上させることができる。すなわち、第２被押圧軟質部６１は変形しやすいため、第２荷重検出部８９により検出する荷重と、荷重に対応する圧力との関係が、非常に安定している（個体差が小さい）。従って、第２荷重検出部８９を、第１荷重検出部８８の参照センサとして利用し、回路内圧を算出する際に利用する検量線Ｌの傾きを補正することにより、精度の高い回路内圧の測定が可能となる。
【０１０１】
本実施形態に係るカセット２８では、第２被押圧軟質部６１の幅Ｗ２が第１被押圧軟質部６０の幅Ｗ１よりも大きいことにより、第２被押圧軟質部６１が第１被押圧軟質部６０よりも変形しやすい。これにより、簡単な構成で、第２被押圧軟質部６１を第１被押圧軟質部６０よりも変形しやすくすることができる。
【０１０２】
本実施形態に係るカセット２８では、流路４２は、軟質素材で構成されたシート状のカセット本体４０内に設けられている。この構成により、射出成形により製造される硬質樹脂からなる従来のカセットと比較して、低コストで製造することができる。従って、簡易且つ経済的な構成で、カセット２８の回路内圧を測定することが可能となる。
【０１０３】
本実施形態に係るカセット２８は、採取ライン４２ａを形成する採取ライン形成部材５４と、返還ライン４２ｂを形成する返還ライン形成部材６４とを備え、第１被押圧軟質部６０は、採取ライン形成部材５４に設けられ、第２被押圧軟質部６１は、返還ライン形成部材６４に設けられている。このように、第１被押圧軟質部６０と第２被押圧軟質部６１とは別々のラインに設けられているため、第２被押圧軟質部６１を第１被押圧軟質部６０よりも変形しやすい構成を簡単に設けることができる。
【０１０４】
第２被押圧軟質部６１は、内部にフィルタ部材７０が収容されたフィルタ収容部７１である。この構成により、第２被押圧軟質部６１は、フィルタ収容部７１の機能と、荷重検出用の被押圧部としての機能とを兼ねるため、構造の合理化が図られる。
【０１０５】
血液成分採取システム１０によれば、遠心分離装置１４の第１荷重検出部８８（図４）により検出された荷重と、第３荷重検出部９０（図４）により検出された荷重とに基づいて、回路内圧（陰圧及び陽圧）を正確に測定することができる。回路内圧は、遠心分離装置１４の演算部１０３（図１）により算出される。測定される回路内圧は、例えば、−３００〜５００ｍｍＨｇである。
【０１０６】
具体的には、第１荷重検出部８８により、血液が流れる採取ライン４２ａの内圧（回路内圧）と、第１被押圧軟質部６０の反力（第１被押圧軟質部６０の変形に伴う復元力）とを合計した荷重が検出される。すなわち、回路内圧が陽圧である場合、図１５Ａに示すように、第１荷重検出部８８に作用する荷重（第１被押圧軟質部６０からの押圧力）は、回路内圧と反力を単純加算することにより得られる。一方、回路内圧が陰圧である場合、図１５Ｂに示すように、第１荷重検出部８８に作用する荷重は、反力から回路内圧の絶対値を引くことにより得られる。
【０１０７】
血液成分採取システム１０では、第３荷重検出部９０により、第３被押圧軟質部６２の反力による荷重が検出される。空洞部４２ｃには、常圧の状態で閉塞させるため、空洞部４２ｃの内圧は、常に０ｍｍＨｇである。このため、第３荷重検出部９０により検出される荷重は、第３被押圧軟質部６２の反力（第３被押圧軟質部６２の変形に伴う復元力）のみである。そして、第３荷重検出部９０に対して作用する第３被押圧軟質部６２の反力は、上述した予備補正ステップを行うと第１荷重検出部８８に対して作用する第１被押圧軟質部６０の反力と同じである。従って、第１荷重検出部８８により検出された荷重から第３荷重検出部９０により検出された荷重を引くことで、血液が流れる採取ライン４２ａの内圧による荷重が得られる。従って、採取ライン４２ａの内圧による荷重に基づいて、回路内圧を算出することができる。この場合、遠心分離装置１４の制御部１０２は、荷重と回路内圧との関係を示す検量線Ｌ（検量線データ）（図１３参照）を記憶しており、得られた荷重と、当該検量線Ｌとを用いて、回路内圧を算出することができる。この場合、本実施形態では、補正された検量線Ｌａが用いられる。
【０１０８】
図１６に示すように、第１被押圧軟質部６０の反力は経時的に減少する。図１６では、初期反力を０とした場合の、第１被押圧軟質部６０の反力の時間変化（Δｂ）のイメージを示している。このように第１被押圧軟質部６０の反力が経時的に減少するのは、第１被押圧軟質部６０が第１荷重検出部８８に押圧される状態が継続することに伴ってクリープが発生するためである。従って、第１被押圧軟質部６０の反力として経時的に変化しない固定値を用いると、回路内圧の測定精度が低下する。
【０１０９】
そこで、血液成分採取システム１０では、第１被押圧軟質部６０の反力と同様に経時的に減少する第３被押圧軟質部６２の反力による荷重をリアルタイムで検出して、回路内圧の算出に用いる。これにより、反力の経時的減少による測定誤差を排除し、回路内圧の測定精度の低下を抑制することができる。換言すれば、第１被押圧軟質部６０の反力は、上述した検量線Ｌを表す関数の切片に相当するものであることから、本発明では、第３荷重検出部９０により検出される荷重（第３被押圧軟質部６２の反力）を用いて、検量線Ｌの切片をリアルタイムで補正することにより、反力の経時的減少による測定誤差を排除することが可能となる。
【０１１０】
高圧領域と比較して、低圧領域では反力が相対的に大きいため測定誤差に与える影響が大きくなりやすい。これに対し、本発明によれば、経時的に変化する反力をリアルタイムで検出し、これを用いることで、測定誤差を排除して回路内圧を精度良く測定することができる。
【０１１１】
また、カセット２８では、カセット本体４０が弾性変形していない自然状態で、採取ライン４２ａと空洞部４２ｃとは連通している。そして、遠心分離装置１４は、採取ライン４２ａと空洞部４２ｃとの間の流路４２を閉塞するようにカセット本体４０を押圧可能なクランプ７２ｂを備える。この構成により、カセット本体４０の製造工程において、採取ライン４２ａと空洞部４２ｃをブロー成形により同時に形成することができる。すなわち、カセット本体４０に空洞部４２ｃを容易に形成することができる。また、遠心分離装置１４の作動時には、クランプ７２ｂでカセット本体４０の所定箇所を押圧することにより、空洞部４２ｃに血液が流れることを確実且つ容易に阻止することができる。
【０１１２】
血液凝集塊を補捉する部分（フィルタ部材７０）がカセット本体４０内に設けられている。これにより、作業者の作業数（フィルタ部材７０の取付け工程）を減らし、ユーザビリティの向上が図られる。
【０１１３】
上述したカセット２８では、軟質素材で形成された第１シート４０ａと第２シート４０ｂとの間に流路４２が形成されているが、流路４２を形成する構造は、このような構成に限られない。例えば、カセット本体４０のうち流路４２を形成する部材はチューブであってもよい。この場合、カセット本体４０は、採取ライン４２ａを構成する流路を有する第１チューブ（採取ライン形成部材）と、返還ライン４２ｂを構成する流路を有する第２チューブ（返還ライン形成部材）と、空洞部４２ｃを構成する第３チューブ（空洞形成部材）とを備えるとともに、第１チューブ、第２チューブ及び第３チューブを支持するプレート状のカセットベース部を備える。
【０１１４】
第１チューブには、第１被押圧軟質部６０及びクランプ作用部７６ａが設けられる。第２チューブには、第２被押圧軟質部６１及びクランプ作用部７６ｃ、７６ｄが設けられる。第３チューブには、第３被押圧軟質部６２及びクランプ作用部７６ｂが設けられる。第１荷重検出部８８が第１被押圧軟質部６０を押圧でき、第３荷重検出部９０が第３被押圧軟質部６２を押圧できるように、カセットベース部は、第１被押圧軟質部６０及び第３被押圧軟質部６２が露出するように形成される。また、クランプ７２ａ〜７２ｄがクランプ作用部７６ａ〜７６ｄを押圧できるように、カセットベース部は、クランプ作用部７６ａ〜７６ｄが露出するように形成される。
【０１１５】
上述した血液成分採取システム１０では、カセット２８に代えて、図１７に示すカセット２８Ａが採用されてもよい。カセット２８Ａのカセット本体４０Ａでは、空洞部４２ｃは、採取ライン４２ａとは独立した流体非連通の流路である。従って、空洞部４２ｃは、常時、採取ライン４２ａとは独立した空間であり、内部には空気が封入されている。カセット２８Ａの他の部分の構成は、図２等に示したカセット２８の構成と同様に構成されている。カセット２８Ａによれば、遠心分離装置１４におけるクランプ７２ｂ（図４）を不要にすることができる。従って、遠心分離装置１４の構成を簡素化できるとともに、クランプ７２の動作に係る制御を簡素化することが可能となる。
【０１１６】
生体成分採取用デバイス２７は、カセット２８、２８Ａの形態に限らない。従って、生体成分採取用デバイス２７は、採取ライン４２ａを有する第１軟質チューブ部材と、返還ライン４２ｂを有する第２軟質チューブ部材とを備え、第１軟質チューブ部材と第２軟質チューブ部材の両端部同士がそれぞれコネクタを介して連結されている構成であってもよい。
【０１１７】
本発明の適用範囲は、血液成分採取システム１０に限らず、流路を介して液体を流動させる種々のシステム、例えば、全血献血システムや患者やドナーから採取され、あるいは培養された各種細胞の培養装置、あるいは、薬液投与システム等に適用することができる。従って、生体成分採取用デバイス（生体成分採取システム）に流す液体は、血液に限らない。
【０１１８】
本発明は上述した実施形態に限定されるものではなく、本発明の要旨を逸脱しない範囲において、種々の改変が可能である。
【図１】
2020534883.tif 000003
【図２】
2020534883.tif 000004
【図３】
2020534883.tif 000005
【図４】
2020534883.tif 000006
【図５】
2020534883.tif 000007
【図６】
2020534883.tif 000008
【図７】
2020534883.tif 000009
【図８】
2020534883.tif 000010
【図９】
2020534883.tif 000011
【図１０】
2020534883.tif 000012
【図１１】
2020534883.tif 000013
【図１２】
2020534883.tif 000014
【図１３】
2020534883.tif 000015
【図１４】
2020534883.tif 000016
【図１５】
2020534883.tif 000017
【図１６】
2020534883.tif 000018
【図１７】
2020534883.tif 000019
【国際調査報告】
2020534883.tif 000020
2020534883.tif 000021